(57)【要約】【課題】ビニールシートを窓ガラスに貼って室内環境を改善する場合は、取り外しが容易に行えないという欠点がある。【解決手段】窓枠７若しくは窓枠７近傍の壁面１の両側に向かい合うように上下方向に伸びる１組のレールを設け、対流制御パネル３を該レール４に上下方向に摺動自在で且つ着脱自在に配設した。また、前記レール４のそれぞれが、２本の細長い四角柱部材５・５を前記対流制御パネル３の厚みと同程度の間隔を隔てて上下方向に平行に窓枠７若しくは窓枠７近傍の壁面に固設して構成されるようにした。そして、前記対流制御パネル３の下面に上方に向けて支持柱収納穴２３ｂを設け、該支持柱収納穴２３ｂの口部を磁石若しくは鉄で構成し、該支持柱収納穴２３ｂに上端部周辺を磁石若しくは鉄で構成した支持柱２５を摺動可能に挿入した。【選択図】図４
2006009316.tif 000002
【特許請求の範囲】
【請求項１】
窓枠若しくは窓枠近傍の壁面の両側に向かい合うように上下方向に伸びる１組のレールを、窓ガラスより所定距離離れた室内側に設け、
対流制御パネルを該レールに上下方向に摺動自在で且つ着脱自在に配設したことを特徴とする室内環境改善システム。
【請求項２】
前記レールのそれぞれが、２本の細長い四角柱部材を前記対流制御パネルの厚みと同程度の間隔を隔てて上下方向に平行に窓枠若しくは窓枠近傍の壁面に固設して構成されることを特徴とする請求項１に記載の室内環境改善システム。
【請求項３】
長手方向にレールが設けられた２本の支持部材を、レールが向かい合うように垂直に立設し、
対流制御パネルを該支持部材のレール間に上下方向に摺動自在に配設し、
該対流制御パネルを該支持部材に着脱自在にしたことを特徴とする室内環境改善システム。
【請求項４】
前記対流制御パネルの下面に上方に向けて支持柱収納穴を設け、
該支持柱収納穴に段差を設けて口部の径を幅広にし、
該支持柱収納穴に隙間無く嵌入される支持柱を摺動可能に挿入したことを特徴とする請求項１乃至請求項３に記載の室内環境改善システム。
【請求項５】
前記レール若しくは支持部材に複数の支持貫通孔を形成し、
該支持貫通孔を貫通するピンによって対流制御パネルの高さを調節することを特徴とする請求項１乃至請求項３に記載の室内環境改善システム。
【請求項６】
前記レールのそれぞれの下部に、レールに嵌入できる支持ブロックを着脱可能に配設したことを特徴とする請求項１乃至請求項３のいずれか一項に記載の室内環境改善システム。
【請求項７】
前記対流制御パネルの正面下端部に支持片を一端を軸支して回動可能に配設し、
該支持片が対流制御パネルの下に飛び出した状態で固定されるように該対流制御パネルの正面下端部に突起を設けたことを特徴とする請求項１乃至請求項３のいずれか一項に記載の室内環境改善システム。
【請求項８】
前記対流制御パネルを黒色のプラスチックや樹脂で構成する、
若しくは前記対流制御パネルに黒色の塗料を塗布する等して、前記対流制御パネルに蓄熱性を具備したことを特徴とする請求項１乃至請求項６のいずれか一項に記載の室内環境改善システム。
【請求項９】
前記対流制御パネルの上部に開口部若しくは凹み部を設けたことを特徴とする請求項１乃至請求項７のいずれか一項に記載の室内環境改善システム。
【請求項１０】
前記対流制御パネルに左右方向に複数の切れ目を入れ、若しくは前記対流制御パネルを細長いパネルを連結して、構成したことを特徴とする請求項１乃至請求項８のいずれか一項に記載の室内環境改善システム。
【発明の詳細な説明】
【技術分野】
【０００１】
本発明は、環境を改善するようなエアフローを実現する室内環境改善システムの技術に関する。より詳しくは、日中と夜間のいずれにも対処可能なエアフロー制御の室内環境改善システムを、簡単な構造の取り外し可能な室内環境改善パネルを用いて実現する技術である。
【背景技術】
【０００２】
従来より、冬季等によく生じる窓の結露を防ぐための、結露防止シートが市販されている。これは、多数の空気室をもったビニールシート（所謂アエキャップ）を窓ガラスに貼っていく商品である。
また、住宅の壁面や窓ガラスから適宜距離を隔てて、板状の発熱体を設置し、該板状の発熱体の上方と下方に開口を設けて、壁面と窓ガラスの間を該発熱体に熱せられた空気が上昇することで、コールドドラフトの防止を行う技術等も公知となっている（例えば、特許文献１参照。）。
【特許文献１】特開２００２−１８１３５４号公報
【発明の開示】
【発明が解決しようとする課題】
【０００３】
しかし、ビニールシートを窓ガラスに貼る場合は、取り外しが容易に行えないという欠点がある。そのため、視界が遮られている場合にも我慢する必要があったし、窓やシートの掃除を頻繁に行えなかった。そして、一年のうちのある季節のみに利用したい場合にも、粘着力が弱くなってしまう等の問題点により、毎年繰り返して使用することが出来なかった。また、室内から窓ガラスを見た場合も室外から窓ガラスを見た場合も、見た目が安っぽくなってしまっていた。
【課題を解決するための手段】
【０００４】
本発明の解決しようとする課題は以上の如くであり、次にこの課題を解決するための手段を説明する。
【０００５】
即ち、請求項１においては、窓枠若しくは窓枠近傍の壁面の両側に向かい合うように上下方向に伸びる１組のレールを、窓ガラスより所定距離離れた室内側に設け、
対流制御パネルを該レールに上下方向に摺動自在で且つ着脱自在に配設したものである。
【０００６】
請求項２においては、前記レールのそれぞれが、２本の細長い四角柱部材を前記対流制御パネルの厚みと同程度の間隔を隔てて上下方向に平行に窓枠若しくは窓枠近傍の壁面に固設して構成されるものである。
【０００７】
請求項３においては、長手方向にレールが設けられた２本の支持部材を、レールが向かい合うように垂直に立設し、
対流制御パネルを該支持部材のレール間に上下方向に摺動自在に配設し、
該対流制御パネルを該支持部材に着脱自在にしたものである。
【０００８】
請求項４においては、前記対流制御パネルの下面に上方に向けて支持柱収納穴を設け、
該支持柱収納穴に段差を設けて口部の径を幅広にし、
該支持柱収納穴に隙間無く嵌入される支持柱を摺動可能に挿入したものである。
【０００９】
請求項５においては、前記レール若しくは支持部材に複数の支持貫通孔を形成し、
該支持貫通孔を貫通するピンによって対流制御パネルの高さを調節するものである。
【００１０】
請求項６においては、前記レールのそれぞれの下部に、レールに嵌入できる支持ブロックを着脱可能に配設したものである。
【００１１】
請求項７においては、前記対流制御パネルの正面下端部に支持片を一端を軸支して回動可能に配設し、
該支持片が対流制御パネルの下に飛び出した状態で固定されるように該対流制御パネルの正面下端部に突起を設けたものである。
【００１２】
請求項８においては、前記対流制御パネルを黒色のプラスチックや樹脂で構成する、
若しくは前記対流制御パネルに黒色の塗料を塗布する等して、前記対流制御パネルに蓄熱性を具備したものである。
【００１３】
請求項９においては、前記対流制御パネルの上部に開口部若しくは凹み部を設けたものである。
【００１４】
請求項１０においては、前記対流制御パネルに左右方向に複数の切れ目を入れ、若しくは前記対流制御パネルを細長いパネルを連結して、構成したものである。
【発明の効果】
【００１５】
本発明の効果として、以下に示すような効果を奏する。
【００１６】
請求項１においては、窓付近に起こるコールドドラフト等、窓にそってカーテンの隙間等から冷たい空気が下降してきて、該冷たい空気が室内下部に広がってくること防ぐ。
【００１７】
請求項２においては、独立したパネル保持部材を用いることなく、対流制御パネルを保持できるようになり、製作コストのコストダウンが図れる。また、施工後のリフォーム等でも対流制御パネルを利用した室内環境改善システムを簡単に付加することができる。
【００１８】
請求項３においては、窓枠を傷つけたり汚したりせずに、対流制御パネルを保持することが可能となった。また、対流制御パネルが必要ないときは、押し入れ等に収納することが出来て、窓枠付近の見た目がすっきりして改善される。
【００１９】
請求項４においては、安価な材料で、しかも容易に、対流制御パネルを持ち上げたままで保持することができ、同時に非常に容易に対流制御パネルを床まで下降させることができる。
これにより、冬季のように日中の室温が低い場合には、前記対流制御パネルを持ち上げて、対流制御パネルの下方を空気が通過できるようにしておけば、対流制御パネルと窓の間で太陽光によって暖められた空気が上昇し、対流制御パネルより室内側の室内下部の空気が対流制御パネルの下方を通過して、対流制御パネルと窓の間に入り込んでくる。そして、入り込んだ空気が太陽光で暖められると、その暖められた空気が上昇し、再び室内下部の冷たい空気が対流制御パネルの下を通過して、対流制御パネルと窓の間に入り込んでくる。以上の過程が動力を使わずに繰り返し行われるので、動力を使用せずに室内温度を上昇させることが可能となる。
【００２０】
請求項５においては、安価な材料で、しかも容易に、対流制御パネルを持ち上げたままで保持することができ、同時に非常に容易に対流制御パネルを床まで下降させることができる。
これにより、冬季のように日中の室温が低い場合には、前記対流制御パネルを持ち上げて、対流制御パネルの下方を空気が通過できるようにしておけば、対流制御パネルと窓の間で太陽光によって暖められた空気が上昇し、対流制御パネルより室内側の室内下部の空気が対流制御パネルの下方を通過して、対流制御パネルと窓の間に入り込んでくる。そして、入り込んだ空気が太陽光で暖められると、その暖められた空気が上昇し、再び室内下部の冷たい空気が対流制御パネルの下を通過して、対流制御パネルと窓の間に入り込んでくる。以上の過程が動力を使わずに繰り返し行われるので、動力を使用せずに室内温度を上昇させることが可能となる。
【００２１】
請求項６においては、安価な材料で、しかも容易に対流制御パネルを床から持ち上げた状態で保持することが可能となる。つまり、対流制御パネルを数ｃｍ持ち上げた状態で、パネルの下側のレールに支持部材を嵌入し、該支持部材によって対流制御パネルが床８まで落ちてこないようにできるし、同じく対流制御パネルを数ｃｍ持ち上げた状態で、対流制御パネルの下側の支持部材を取り外して、対流制御パネルを床まで下降させられる。
これにより、冬季のように日中の室温が低い場合には、前記対流制御パネルを持ち上げて、対流制御パネルの下方を空気が通過できるようにしておけば、対流制御パネルと窓の間で太陽光によって暖められた空気が上昇し、対流制御パネルより室内側の室内下部の空気が対流制御パネルの下方を通過して、対流制御パネルと窓の間に入り込んでくる。そして、入り込んだ空気が太陽光で暖められると、その暖められた空気が上昇し、再び室内下部の冷たい空気が対流制御パネルの下を通過して、対流制御パネルと窓の間に入り込んでくる。以上の過程が動力を使わずに繰り返し行われるので、動力を使用せずに室内温度を上昇させることが可能となる。
【００２２】
請求項７においては、安価な材料で、しかも容易に対流制御パネルを床から持ち上げた状態で保持することが可能となる。つまり、対流制御パネルを数ｃｍ持ち上げた状態で、対流制御パネルの下側の回動支持片を回転させるだけで、該回動支持片によって対流制御パネルが床まで落ちてこないようにでき、上記支持片を用いる場合に比べて、支持片がどこかに行ってしまって探さなくてはならない自体が生じない。
これにより、冬季のように日中の室温が低い場合には、前記対流制御パネルを持ち上げて保持し、対流制御パネルの下方を空気が通過できるようにしておけば、対流制御パネルと窓の間で太陽光によって暖められた空気が上昇し、対流制御パネルより室内側の室内下部の空気が対流制御パネルの下方を通過して、対流制御パネルと窓の間に入り込んでくる。そして、入り込んだ空気が太陽光で暖められると、その暖められた空気が上昇し、再び室内下部の冷たい空気が対流制御パネルの下を通過して、対流制御パネルと窓の間に入り込んでくる。以上の過程が動力を使わずに繰り返し行われるので、動力を使用せずに室内温度を上昇させることが可能となる。
【００２３】
請求項８においては、遮光の対流制御パネルにより太陽光を遮断することが可能となり、夏季のように暑いときは太陽光の差込を制限できるようになる。また、蓄熱性を有した対流制御パネルの場合には、窓ガラスと対流制御パネルの間の空気が効率的に暖められて上昇していき、対流制御パネルの下方を通って室内下部の空気が新たに窓ガラスと対流制御パネルの間に入り込んでくるため、効率的にエアフローを生じさせて室内空気を暖めることが可能となる。
【００２４】
請求項９においては、握力が弱い、女性や子供でも簡単に対流制御パネルの取り外しができるようになり、その結果、室内環境に応じて細かく対流制御パネルの取り外しを行ことが可能となり、より快適な室内環境を実現できるようになる。
【００２５】
請求項１０においては、対流制御パネルを切れ目に沿って折りたたむことによって、容易に運搬や収納に便利な大きさに変形することができる。また、対流制御パネルをたたんだ後に、紐やゴムで縛っておくと、運搬や収納の際に対流制御パネルが開いてしまうことがなくなり、より便利である。
【発明を実施するための最良の形態】
【００２６】
次に、発明の実施の形態を説明する。
図１は本発明の一実施例に係る室内環境改善システムの全体的な構成を示した斜視図、図２は同じく平面図、図３は同じく側面断面図、図４は一方のレール４周辺部を示す斜視図、図５は室内環境改善システムの第２の実施例を示す正面図、図６は同じく平面図、図７は同じく側面図、図８は一方の支持部材１４周辺部を示す斜視図、図９は支持部材１４のレール１３断面の別実施例を示す平面図、図１０は室内環境改善システムの第３の実施例を示す斜視図、図１１は室内環境改善システムの第４の実施例を示した斜視図、図１２は第５の実施例を示す支持部材４４周辺部を示す斜視図、図１３は室内環境改善システムの第６の実施例を示す斜視図、図１４は対流制御パネル５３を床８から浮かせて保持した状態の正面図、図１５は対流制御パネル５３を床８まで下げた状態の正面図、図１６は室内環境改善システムの第７の実施例を示す正面図、図１７は室内環境改善システムの第８の実施例を示す正面図、図１８は対流制御パネル６３を折りたたむ過程を示す側面図、図１９は折りたたんだ状態の対流制御パネル６３の斜視図である。
【実施例１】
【００２７】
住宅には側壁の一部に開口部を設けて窓２が設けられており、窓２から室内に太陽光等の外光を採光している。図２に示すように、窓２の室内側には、窓２の近傍に対流制御パネル３が窓２と向かい合うように（窓ガラス６と平行に）配設されている。対流制御パネル３はプラスチックや樹脂等の軽い材料によって形成されており、厚さは数ｍｍ程度のものであり、太くても２〜３ｃｍ程度のものである。このように、対流制御パネル３を配設することにより、窓２と対流制御パネル３の間の空気が室内側に流れ込むことを防いでいる。
【００２８】
まず、対流制御パネル３の設置方法について説明する。
図１乃至図４に示すように、窓２が配設された室内の壁面１の窓近辺に左右一対（１組）のレール４・４を対向して配設する。レール４・４はそれぞれが、２本の細長い四角柱部材５・５を数ｍｍから数ｃｍ隔てて、壁面１または窓枠７に固設して構成されたものである。そして、四角柱部材５・５の間（溝）に対流制御パネル３の左右方向の端部を嵌入することで、対流制御パネル３が四角柱部材５・５に挟まれて立ったまま保持されるようになっている。
ここで、四角柱部材５・５同士の間隔（レールの幅）は、対流制御パネル３の厚みより若干大きいものとし、対流制御パネル３を嵌入しやすい間隔に、四角柱部材５・５を調節しながら壁面１に固設すると良い。
【００２９】
対流制御パネル３の高さは（上下方向の長さ）は、窓２の高さ（上下方向の長さ）の半分ぐらいが好適である。そして、レール４・４の高さ（上下方向の長さ）は対流制御パネル３の高さと略同じ程度が好適であるが、対流制御パネル３が倒れ難い高さ、すなわち対流制御パネル３の高さの２／３程度に構成しても良い。
レール４・４の四角柱部材５・５・・・は、窓２を開放したときに雨が吹き付けられた場合にも、錆びたり腐ったりしないように、軽いプラスチックや樹脂で構成することが好適ではあるが、壁面１・１や窓枠７・７と同じ材質で構成しても良い。四角柱部材５・５・・をプラスチックや樹脂で構成する場合には、壁面１・１や窓枠７・７と同じ色彩や模様の外装を施して目立たなくするとより好適である。
【００３０】
そして、冬季のように寒い日には、太陽光が差し込まない夜や雨が降っているときに、前記対流制御パネル３をレール４・４に嵌入し、対流制御パネル３の下面が床８に接するまで下降させて、対流制御パネル３の下方を空気が通過できないようにする。逆に、寒くない日や、寒い日でも太陽光が差し込んで窓ガラス６の温度が低くならないときは、対流制御パネル３を上昇させて、レール４・４から取り外しておく。
【００３１】
このように、窓枠７若しくは窓枠７近傍の壁面１の両側に向かい合うように上下方向に伸びる１組のレール４・４を、窓ガラス６より所定距離離れた室内側に設け、
対流制御パネル３を該レール４・４に上下方向に摺動自在で且つ着脱自在に配設したので、
窓２付近に起こるコールドドラフト等、窓２にそってカーテンの隙間等から冷たい空気が下降してきて、該冷たい空気が室内下部に広がってくること防ぐ。
【００３２】
また、前記レール４・４のそれぞれが、２本の細長い四角柱部材５・５・・・を前記対流制御パネル３の厚みと同程度の間隔を隔てて上下方向に平行に窓枠７若しくは窓枠７近傍の壁面１に固設して構成されるので、
独立したパネル保持部材を用いることなく、対流制御パネル３を保持できるようになり、製作コストのコストダウンが図れる。また、施工後のリフォーム等でも対流制御パネル３を利用した室内環境改善システムを簡単に付加することができる。
【実施例２】
【００３３】
次に本発明の第２の実施例について説明する。
図５乃至図８に示すように、対流制御パネル３は、２本の支持部材１４・１４によって、該２本の支持部材１４・１４の間に垂直に立てられた状態で支持されている。
図８に示すように、支持部材１４はパネル挟持部１５と台部１６とにより構成されている。板状の台部１６の上面の長手方向略中央部上面に、四角柱の形状をしたパネル挟持部１５が接着されて立設されている。パネル挟持部１５の台部１６への接着方法は、接着剤等で強固に接着させる方法や、ネジ等を台部１６の底面から打ち込んでパネル挟持部１５へ到達させる方法や、その両方の方法を組み合わせて接着する方法等が挙げられる。また、合成樹脂等でパネル挟持部１５と台部１６を一体的に構成することも可能である。
【００３４】
同じく図８に示すように、パネル挟持部１５の側面の幅方向中央部にはレール（溝）１５ａが長手方向に形成されており、該レール１５ａの幅は対流制御パネル３の厚さより若干大きく形成され、対流制御パネル３の一端を挟持できる程度の深さのレール１５ａとし、該レール１５ａの上方は開放されている。なお、左右の台部１６同士は連結部材で連結して強度を高めることも可能であり、一体的に形成することも可能である。
以上のように構成された２本の支持部材１４・１４を、窓２付近に設置する対流制御パネル３の幅と略同じ間隔になるように、そして前記レール１５ａ・１５ａが向かい合うように立設する。そして、対流制御パネル３の側端部を前記レール１５ａ・１５ａに差し込むことで、対流制御パネル３を窓２と向かい合うように（窓ガラス６と平行に）立てることができる。このようにして、対流制御パネル３は、レール１５ａを案内にして上下方向（図５及び図７においての矢印方向）に摺動可能に配設することができる。
【００３５】
支持部材１４のレール１５ａについては、図８に示すように、対流制御パネル３の厚みと略同じ幅に、単に凹ませるように形成してもよいが、図９（ａ）に示すように、レール１５ｂの幅を狭く形成し、対流制御パネル３の側部を薄くして肉薄部３ａを形成し、該肉薄部３ａをレール１５ｂに差し込む構成としても良い。
このように、レール１５ｂの幅を狭めると、パネル挟持部１５の幅を小さく出来るので、支持部材１４の軽量化や材料費のコストダウンが為し得る。
【００３６】
また、図９（ｂ）に示すように、レール１５ｃを内部が幅広になるように形成し、対流制御パネル３の側部は端部３ｂを肉厚になるように形成し、該端部３ｂを支持部材１４の上方からレール１５ｃに挿入する構成としても良い。
このように構成すると、より強固に対流制御パネルと支持部材１４・１４を合体できるので、室内にいる人が支持部材１４・１４や対流制御パネル３にぶつかっても、支持部材１４・１４間の間隔が開いて対流制御パネル３が支持部材１４・１４から外れるようなことがなくなる。
【００３７】
以上のように、長手方向にレール１５ａ・１５ａが設けられた２本の支持部材１４・１４を、レール１５ａ・１５ａが向かい合うように垂直に立設し、
対流制御パネル３を該支持部材１４・１４のレール１５ａ・１５ａ間に上下方向に摺動自在に配設し、
該対流制御パネル３を該支持部材１４・１４に着脱自在にしたので、
窓枠７を傷つけたり汚したりせずに、対流制御パネル３を保持することが可能となった。また、対流制御パネル３が必要ないときは、押し入れ等に収納することが出来て、窓枠７付近の見た目がすっきりして改善される。
【実施例３】
【００３８】
次に、第３の実施例として、対流制御パネルを持ち上げて保持する技術について説明する。
図１０に示すように、対流制御パネル２３の下面には上方に向かって支持柱収納穴２３ｂが形成されている。支持柱収納穴２３ｂは断面が略正方形に形成されている。そして、支持柱収納穴２３ｂには段差を設けて、支持柱収納穴の口部２３ｃの径が、支持柱収納穴２３ｂの奥部の径より大きくなるように形成する。
そして、支持柱収納穴２３ｂに対流制御パネル２３の下方から、支持柱収納穴２３ｂに隙間無く嵌入できる支持柱２５を挿入する。支持柱２５は、支持柱収納穴２３ｂの口部２３ｃにもぴったりと嵌るように、段差を設けて、下部２５ｂ（図１０では支持柱２５が上下反転された状態が図示されている。）の径が大きくなるように形成されている。
【００３９】
このように、支持柱２５を対流制御パネル２３に挿入してあるので、使用者が対流制御パネル２３を上方に持ち上げると、支持柱２５が自重で下がって対流制御パネル２３の支持柱収納穴２３ｂから飛び出してくる。そして、対流制御パネル２３を床８から浮かせて保持したいときは、図１０に示すように、飛び出してきた支持柱２５の上下を反転させて、再度支持柱収納穴２３ｂへ挿入する。
前述したように、支持柱２５は下部２５ｂが幅広に形成されており、支持柱収納穴２３は口部２３ｃが幅広に形成されているため、支持柱２５を上下反転させて支持柱収納穴２３ｂに挿入したときは、下部２５ｂが支持柱収納穴２３ｂの段差にぶつかって口部２３ｃの位置で止まりそれ以上奥まで入り込まない。その結果、対流制御パネル２３が、床８から浮いた状態で保持されることとなる。
【００４０】
また、前記口部２３ｃの内周を磁石で形成し、前記下部２５ｂを鉄や磁石で構成することで、対流制御パネル２３の支持をより安定化させることが可能である。逆に、前記口部２３ｃの内周を鉄で形成し、前記下部２５ｂを磁石で構成しても良い。
磁石を用いる場合は、対流制御パネル２３を持ち上げても、前述のように、支持柱２５が自重だけでは支持柱収納穴２３ｂからスムーズに飛び出して来ない場合もあるので、前記口部２３ｃ周辺部を欠落させておいて、指や爪で支持柱２５を引っ張り出せるように構成するとより好適である。
【００４１】
そして、対流制御パネル２３を床８まで下降させたいときは、対流制御パネル２３を持ち上げて、支持柱２５・２５を支持柱収納穴２３ｂ・２３ｂ取り外し、支持柱２５・２５の上下を反転させて、再度支持柱収納穴２３ｂ・２３ｂに嵌入する。支持柱２５・２５を支持柱収納穴２３ｂ・２３ｂに嵌入した後、指等で支持柱が落ちないように保持しながら、レール４・４若しくは支持部材１４・１４を案内に対流制御パネル２３・２３を下降させて床８に接するまで下降させる。
また、本実施例では、対流制御パネル２３の下面に断面が四角柱の支持柱収納穴２３ｂを形成したが、これも限定するものではなく、対流制御パネル２３の下面に断面が円形状をした支持柱収納穴２３ｂを形成しても良い。この場合は、挿入する支持柱２５も円柱形状をしたものとする。口部２３ｃや下部２５ｂは前述同様に径を大きめに形成すれば良く、円柱形状に形成しても良いし、多角柱形状に形成しても良い。
また、本実施例では、支持柱２５や支持柱収納穴２３ｂを２組配設しているが、１組だけ配設しても良いし、また３組配設しても良く、限定するものではない。
【００４２】
このように、前記対流制御パネル２３の下面に上方に向けて支持柱収納穴２３ｂを設け、
該支持柱収納穴２３ｂに段差を設けて口部２３ｃの径を幅広にし、
該支持柱収納穴２３ｂに隙間無く嵌入される支持柱２５を摺動可能に挿入したので、
安価な材料で、しかも容易に、対流制御パネル２３を持ち上げたままで保持することができ、同時に非常に容易に対流制御パネル２３を床８まで下降させることができる。
これにより、冬季のように日中の室温が低い場合には、前記対流制御パネル２３を持ち上げて、対流制御パネル２３の下方を空気が通過できるようにしておけば、対流制御パネル２３と窓の間で太陽光によって暖められた空気が上昇し、対流制御パネル２３より室内側の室内下部の空気が対流制御パネル２３の下方を通過して、対流制御パネル２３と窓の間に入り込んでくる。そして、入り込んだ空気が太陽光で暖められると、その暖められた空気が上昇し、再び室内下部の冷たい空気が対流制御パネル２３の下を通過して、対流制御パネル２３と窓の間に入り込んでくる。以上の過程が動力を使わずに繰り返し行われるので、動力を使用せずに室内温度を上昇させることが可能となる。
【実施例４】
【００４３】
また、第４の実施例として、前記レール４や支持部材１４によって対流制御パネルを床８から浮かせた状態で保持する方法について説明する。
図１１に示すように、前記レール４の四角柱部材５・５の側面に複数の支持貫通孔５ｂ・５ｂ・・・を設ける。これらの支持貫通孔５ｂ・５ｂ・・・は上下方向に並んで形成されており、後述するように高さ調節ができるようになっている。まず、一方のレール４において、ピン３５に一方の四角柱部材５の任意の高さの支持貫通孔５ｂを貫通させて、そのまま対向するもう一方の四角柱部材５の支持貫通孔５ｂに達するまで挿入していく。同様に、もう一方のレール４でも同じ高さの支持貫通孔５ｂ・５ｂにピン３５を挿入する。
最後に、両方のレール４・４にピン３５・３５が挿入された状態で、上から対流制御パネル３３を摺動下降させる。そして、対流制御パネル３３の下面が、前記ピン３５当接し、該ピン３５に支えられることによって、対流制御パネル３３を床８から浮かせた状態で保持することができる。
【００４４】
具体的には、対流制御パネル３３を床８から浮かせた状態に保持したい場合には、対流制御パネル３３を持ち上げてから、若しくは取り外してから、支持貫通孔５ｂ・５ｂ・・・にピン３５・３５を貫通させ、その後前記レール４若しくは前記支持部材１４を案内にして該対流制御パネル３３を摺動下降させる。
一方、対流制御パネル３３を床８まで下降させたい場合には、対流制御パネル３３を持ち上げてから、若しくは取り外してから、支持貫通孔５ｂ・５ｂ・・・からピン３５・３５を引き抜いて、その後、前記レール４若しくは前記支持部材１４を案内にして該対流制御パネル３３を摺動下降させる。
このように、貫通孔５ｂ・５ｂ・・・からピン３５・３５を引き抜けるように、ピン３５の長さは、前記レール４や前記支持部材１４の貫通孔５ｂ・５ｂ・・・の両端からはみ出る程度の長さに形成するのが良い。
【００４５】
また、図１１に示すように、対流制御パネル３３にパネル貫通孔３３ｂ・３３ｂ・・・を設ける構成にしても良い。この場合は、先に対流制御パネル３３を好みの高さに持ち上げてから、ピン３５を支持柱部材５、対流制御パネル３３、支持柱部材５の順に貫通させて、対流制御パネル３３を床８から浮かせた状態で保持するものである。このような構成にすることで、対流制御パネル３３の支持をより安定化させることが出来る。
【００４６】
このように、前記レール４若しくは支持部材１４に複数の支持貫通孔５ｂ・５ｂ・・・を形成し、
該支持貫通孔５ｂ・５ｂ・・・を貫通するピン３５によって対流制御パネル３３の高さを調節するので、
安価な材料で、しかも容易に、対流制御パネル３３を持ち上げたままで保持することができ、同時に非常に容易に対流制御パネル３３を床８まで下降させることができる。
これにより、冬季のように日中の室温が低い場合には、前記対流制御パネル３３を持ち上げて、対流制御パネル３３の下方を空気が通過できるようにしておけば、対流制御パネル３３と窓の間で太陽光によって暖められた空気が上昇し、対流制御パネル３３より室内側の室内下部の空気が対流制御パネル３３の下方を通過して、対流制御パネル３３と窓２の間に入り込んでくる。そして、入り込んだ空気が太陽光で暖められると、その暖められた空気が上昇し、再び室内下部の冷たい空気が対流制御パネル３３の下を通過して、対流制御パネル３３と窓２の間に入り込んでくる。以上の過程が動力を使わずに繰り返し行われるので、動力を使用せずに室内温度を上昇させることが可能となる。
【実施例５】
【００４７】
また、対流制御パネル４３を床８から浮かした状態で保持する技術として、以下のような実施例も挙げられる。
図１２に示すように、支持部材４４のレール４５ａの幅と同程度の幅を有する支持ブロック４７を該レール４５ａの下部に挿入して、対流制御パネル４３を両端の下方から支える方法である。同様にもう一方の支持部材４４の方も同じように、レール４５ａの下部に支持ブロック４７を挿入し、対流制御パネル４３のもう一端の下面を支持している。
具体的には、対流制御パネル４３を支持ブロック４７・４７が入る高さまで持ち上げ、持ち上げた状態のままで、該支持ブロック４７・４７を支持部材４４・４４のレール４５ａ・４５ａの下部に挿入し、対流制御パネル４３の下面が支持部材４４・４４にぶつかって止まるまで再び下降させるのである。
【００４８】
本実施例では、支持部材４４・４４に第２の実施例の支持部材１４・１４と同形のものを用いたが、第１の実施例のレール４・４を用いて、同じようにレール４・４の下部に支持ブロック４７を挿入する構成としても良く、限定するのものではない。
【００４９】
このように、前記レール４・４のそれぞれの下部に、レール４・４に嵌入できる支持ブロック４７・４７を着脱可能に配設したので、
安価な材料で、しかも簡単に対流制御パネル４３を床から持ち上げた状態で保持することが可能となる。つまり、対流制御パネル４３を数ｃｍ持ち上げた状態で、対流制御パネル４３の下側のレール４５ａ・４５ａに支持ブロック４７・４７を嵌入し、該支持ブロック４７・４７によって対流制御パネル４３が床８まで落ちてこないようにできるし、同じく対流制御パネル４３を数ｃｍ持ち上げた状態で、対流制御パネル４３の下側の支持ブロック４７・４７を取り外して、対流制御パネル４３を床まで下降させられる。
これにより、冬季のように日中の室温が低い場合には、前記対流制御パネル４３を持ち上げて、対流制御パネル４３の下方を空気が通過できるようにしておけば、対流制御パネル４３と窓の間で太陽光によって暖められた空気が上昇し、対流制御パネル４３より室内側の室内下部の空気が対流制御パネル４３の下方を通過して、対流制御パネル４３と窓２の間に入り込んでくる。そして、入り込んだ空気が太陽光で暖められると、その暖められた空気が上昇し、再び室内下部の冷たい空気が対流制御パネル４３の下を通過して、対流制御パネル４３と窓２の間に入り込んでくる。以上の過程が動力を使わずに繰り返し行われるので、動力を使用せずに室内温度を上昇させることが可能となる。
【実施例６】
【００５０】
また、また、対流制御パネル５３を床８から浮かした状態で保持する技術として、以下のような別実施例も挙げられる。
図１３に示すように、対流制御パネル５３の下部の表面に、軸５７によって回動自在に支持された回動支持片５６を設ける。回動支持片５６は、一端のみが軸５７によって支持されており、軸５７を中心に自由に回動することが出来る。そして、回動支持片５６は、支持されている一端が上方に、支持されていない他端が下方に向いたときには、該他端側が対流制御パネル５３の下面より下方に飛び出たように位置する。そして、軸５７に支持されている一端が下方に、支持されていない他端が上方に向いたようなときは、該回動支持片５６は対流制御パネル５３の下面より下方に飛び出る部位がないように、構成されている。
【００５１】
そして、図１３に示すように、対流制御パネル５３の表面には、軸５７と略同じ高さの位置に、ストッパー５８が突設されている。ストッパー５８は、前記回動支持片５６及び軸５７の幅（高さ）と略同程度の高さに構成されており、図１３のように円柱状のものでも良いし、多角柱の形状をしたものでも良い。また、単に釘等の突起でも良い。
そして、対流制御パネル５３を床８から持ち上げた状態にするには、対流制御パネル５３を持ち上げて保持し、保持している間に、正面視右側の回動支持片５６は時計方向に、正面視左側の回動支持片５６は半時計方向に、回動支持片５６・５６の上面がストッパー５８・５８の下部に当接するまで回動させる。そして、回動支持片５６・５６の下端が床８に接するまで対流制御パネル５３を下降させる。このようにして、対流制御パネル５３を床８から浮いた状態で保持する（図１４参照）。
一方、対流制御パネル５３を床８まで下降させる場合は、一旦対流制御パネル５３を持ち上げて保持し、保持している間に、正面視右側の回動支持片５６は半時計方向に、正面視左側の回動支持片５６は時計方向に、回動支持片５６・５６の下面がストッパー５８・５８の上部に当接するまで回動させる。そして、対流制御パネル５３を床８まで下降させる（図１５参照）。
【００５２】
本実施例では、対流制御パネル５３の下部表面に、二つの（一組の）該回動支持片５６・５６、軸５７・５７及びストッパー５８・５８を配設したものであるが、一つの回動支持片５６・軸５７及びストッパー５８だけでも、対流制御パネル５３を持ち上げたまま保持することは可能であり、二つ（一組）に限定するものではない。
また、一つの回動支持片５６、軸５７及びストッパー５８を対流制御パネル５３の正面の表面に、もう一つの回動支持片５６、軸５７及びストッパー５８を背面の表面に配設する構成としても良い。
【００５３】
このように、前記対流制御パネル５３の正面下端部に支持片５６を一端を軸支して回動可能に配設し、
該支持片５６が対流制御パネル５３の下に飛び出した状態で固定されるように該対流制御パネル５３の正面下端部に突起（ストッパー）５８を設けたので、
安価な材料で、しかも簡単に対流制御パネル５３を床８から持ち上げた状態で保持することが可能となる。つまり、対流制御パネル５３を数ｃｍ持ち上げた状態で、対流制御パネル５３の下側の回動支持片５６・５６を回転させるだけで、該回動支持片５６・５６によって対流制御パネル５３が床まで落ちてこないようにでき、上記支持ブロック４７・４７を用いる場合に比べて、支持片５６・５６がどこかに行ってしまって探さなくてはならない自体が生じない。
これにより、冬季のように日中の室温が低い場合には、前記対流制御パネル５３を持ち上げて保持し、対流制御パネル５３の下方を空気が通過できるようにしておけば、対流制御パネル５３と窓２の間で太陽光によって暖められた空気が上昇し、対流制御パネル５３より室内側の室内下部の空気が対流制御パネル５３の下方を通過して、対流制御パネル５３と窓２の間に入り込んでくる。そして、入り込んだ空気が太陽光で暖められると、その暖められた空気が上昇し、再び室内下部の冷たい空気が対流制御パネル５３の下を通過して、対流制御パネル５３と窓２の間に入り込んでくる。以上の過程が動力を使わずに繰り返し行われるので、動力を使用せずに室内温度を上昇させることが可能となる。
【００５４】
次に、対流制御パネル３について説明する。
対流制御パネル３は、上述のしたように、プラスチックや樹脂等の軽い材料で構成されている。そして、例えば、紫外線を反射させて通さない加工（酸化チタンなどの白色顔料を塗って反射する。）を施したり、紫外線吸収剤を使用する等して、室内に太陽光が差し込まないようにしても良い。このように、太陽光を通し難い対流制御パネル３に構成すると、夏季などは、日中に対流制御パネル３を設置して室内の温度上昇を防ぐことが可能となる。
また、対流制御パネル３を黒いプラスチックや、黒い樹脂で構成して、太陽光を集光するようにして、蓄熱材として利用しても良い。この場合は、太陽光の熱エネルギーを対流制御パネル３が蓄えることができるので、窓ガラス６と対流制御パネル３の間の空気が暖まりやすくなる。例えば、冬季においても日の当たる日中は、前記対流制御パネル３を持ち上げて保持しておけば、日光と蓄熱性を具備した対流制御パネル３によって、窓ガラス６と対流制御パネル３の間の空気が効率的に暖められて上昇していき、その分対流制御パネル３の下方を通って、室内下部の空気が新たに窓ガラス６と対流制御パネルの間に入り込んでくる。以上のような室内空気の循環を行うことにより、電気やガスを消費せずして室内空気を暖かくすることができる。
そして、これら様々な性能を有した対流制御パネル３・３・・を季節や時間帯に応じて交換することにより、電力やガスを消費することなく、室内環境を改善させることが出来る。
【００５５】
このように、前記対流制御パネル３を黒色のプラスチックや樹脂で構成する、
若しくは前記対流制御パネル３に黒色の塗料を塗布する等して、前記対流制御パネル３に蓄熱性を具備したので、
遮光の対流制御パネル３により太陽光を遮断することが可能となり、夏季のように暑いときは太陽光の差込を制限できるようになる。また、蓄熱性を有した対流制御パネル３の場合には、窓ガラス６と対流制御パネル３の間の空気が効率的に暖められて上昇していき、対流制御パネル３の下方を通って室内下部の空気が新たに窓ガラス６と対流制御パネル３の間に入り込んでくるため、効率的にエアフローを生じさせて室内空気を暖めることが可能となる。
【実施例７】
【００５６】
また、図１６に示すように、対流制御パネル６３の上部に開口部６７・６７を設け、該開口部６７・６７に指を通して対流制御パネル６３の上下摺動を行うようにしても良い。開口部６７・６７は、対流制御パネル６３の上端から数ｃｍ下方に形成し、対流制御パネル６３をまたいで、開口部６７・６７に指を通せる構成としている。
図１６では、両手で対流制御パネル６３を持ち上げるものとするため、開口部６７・６７を２箇所設けているが、片手で保持するように開口部６７を１箇所だけ設けても良いし、両手を通せるような左右方向に長い開口部を１箇所だけ設けても良く、開口部の個数は限定するものではない。
【００５７】
また、開口部６７のように貫通させなくても、握持しやすいように対流制御パネル６３の握持する箇所の正面と背面を凹ませる構成としても良い。この場合は、凹ませた部分に複数の小さな突起等を設けたりして、滑り止めを具備させると好適である。
また、開口部６７ではなく、対流制御パネル６３を持ち上げやすいように、取っ手のようなものを対流制御パネル６３の上面に取り付けても良い。
【００５８】
このように、前記対流制御パネル６３の上部に開口部６７・６７若しくは凹み部を設けたので、
握力が弱い、女性や子供でも簡単に対流制御パネル６３の取り外しができるようになり、その結果、室内環境に応じて細かく対流制御パネル６３の取り外しを行ことが可能となり、より快適な室内環境を実現できるようになる。
【実施例８】
【００５９】
また、上記同様、対流制御パネル３の別実施例として、図１７乃至図１９に示すように、対流制御パネル７３に左右方向に複数の切れ目７３ｂ・７３ｂ・・・を入れて、折りたためるようにしても良い。切れ目７３ｂは折り曲げることが出来る程度まで、厚みを薄くして、対流制御パネル７３を摺動して取り外した後に、図１８に示すように、（ａ）（ｂ）（ｃ）の順に、前記切れ目７３ｂ・７３ｂ・・・で折り曲げることができるようにする。
図１８において、（ａ）は折り曲げる前の状態の対流制御パネル７３の側面図であり、（ｂ）は折り曲げている途中の対流制御パネルの側面図であり、（ｃ）は折り曲げを完了した状態の対流制御パネルの側面図である。そして、全ての切れ目７３ｂ・７３ｂ・・・で折り曲げを完了すると、図１９に示すように、四角柱の形状になるまでコンパクトにできる。図１９のように、対流制御パネル７３を折り曲げた後、周囲を紐やゴム等で縛ると、収納するとき等の対流制御パネル７３を使用しないときに特に便利である。
対流制御パネル７３は、上記のように切れ目７３ｂ・７３ｂ・・・を入れる構成にしても良いが、左右方向に細長いパネルを複数連結させて対流制御パネル７３とする構成でも良く、限定するものではない。細長いパネルを連結するように構成された対流制御パネルの場合は、連結部で折り曲げて、上記と同様に、四角柱の形状になるまでコンパクトするものである。
【００６０】
このように、前記対流制御パネル７３に左右方向に複数の切れ目を入れ、若しくは前記対流制御パネル７３を細長いパネルを連結して、構成したので、
対流制御パネル７３を切れ目に沿って折りたたむことによって、容易に運搬や収納に便利な大きさに変形することができる。また、対流制御パネル７３をたたんだ後に、紐やゴムで縛っておくと、運搬や収納の際に対流制御パネル７３が開いてしまうことがなくなり、より便利である。
【図面の簡単な説明】
【００６１】
【図１】本発明の一実施例に係る室内環境改善システムの全体的な構成を示した斜視図。
【図２】同じく平面図。
【図３】同じく側面断面図。
【図４】一方のレール４周辺部を示す斜視図。
【図５】室内環境改善システムの第２の実施例を示す正面図。
【図６】同じく平面図。
【図７】同じく側面図。
【図８】一方の支持部材１４周辺部を示す斜視図。
【図９】支持部材１４のレール１３断面の別実施例を示す平面図。
【図１０】室内環境改善システムの第３の実施例を示す斜視図。
【図１１】室内環境改善システムの第４の実施例を示す斜視図。
【図１２】第５の実施例を示す支持部材４４周辺を示す斜視図。
【図１３】室内環境改善システムの第６の実施例を示す斜視図。
【図１４】対流制御パネル５３を床８から浮かせて保持した状態の正面図。
【図１５】対流制御パネル５３を床８まで下げた状態の正面図。
【図１６】室内環境改善システムの第７の実施例を示す正面図。
【図１７】室内環境改善システムの第８の実施例を示す正面図。
【図１８】対流制御パネル６３を折りたたむ過程を示す側面図。
【図１９】折りたたんだ状態の対流制御パネル６３の斜視図。
【符号の説明】
【００６２】
１    壁面
２    窓
３    対流制御パネル
４    レール
５    四角柱部材
５ｂ    支持貫通孔
６    窓ガラス
７    窓枠
１４    支持部材
１５ａ    レール
２３    対流制御パネル
２３ｂ    支持柱収納穴
２３ｃ    口部
２５    支持柱
２５ｂ    支持柱下部
３３    対流制御パネル
３３ｂ    パネル貫通孔
４７    支持ブロック
５３    対流制御パネル
５６    回動支持片
５７    軸
５８    突起（ストッパー）
６３    対流制御パネル
６７    開口部
７３    対流制御パネル
７３ｂ    切れ目
【図１】
2006009316.tif 000003
【図２】
2006009316.tif 000004
【図３】
2006009316.tif 000005
【図４】
2006009316.tif 000006
【図５】
2006009316.tif 000007
【図６】
2006009316.tif 000008
【図７】
2006009316.tif 000009
【図８】
2006009316.tif 000010
【図９】
2006009316.tif 000011
【図１０】
2006009316.tif 000012
【図１１】
2006009316.tif 000013
【図１２】
2006009316.tif 000014
【図１３】
2006009316.tif 000015
【図１４】
2006009316.tif 000016
【図１５】
2006009316.tif 000017
【図１６】
2006009316.tif 000018
【図１７】
2006009316.tif 000019
【図１８】
2006009316.tif 000020
【図１９】
2006009316.tif 000021